(57)【要約】【課題】精度の高い光量制御を行なうことが可能な面光源制御装置を提供する。【解決手段】面光源制御装置は、面光源に設けられた複数の発光部の発光量を制御する。複数の発光部の各々は、複数の発光素子と、光センサーとを含む。面光源制御装置は、タイミング指示に応じて、複数の発光部が発する光量をそれぞれ制御する複数の第１の制御手段と、複数のタイミング指示を、それぞれ、複数の第１の制御手段へほぼ同時に出力することにより、複数の第１の制御手段の各々に光量の制御をほぼ同時に行なわせる第２の制御手段とを備える。【選択図】図１
2007227166.tif 000002
【特許請求の範囲】
【請求項１】
面光源に設けられた複数の発光部の発光量を制御する面光源制御装置であって、
前記複数の発光部の各々は、
複数の発光素子と、
受光する光強度を検出するための光センサーとを含み、
タイミング指示に応じて、前記複数の発光部が発する光量をそれぞれ制御する複数の第１の制御手段と、
複数の前記タイミング指示を、それぞれ、前記複数の第１の制御手段へほぼ同時に出力することにより、前記複数の第１の制御手段の各々に光量の制御をほぼ同時に行なわせる第２の制御手段とを備え、
前記複数の第１の制御手段の各々は、入力されたタイミング指示に応じて、対応する発光部の前記光センサーの検出値と、前記対応する発光部の前記光センサーの検出値の目標となる目標値との差に基づく制御値を用いて、前記対応する発光部に含まれる前記複数の発光素子の発光量を制御する、面光源制御装置。
【請求項２】
前記複数の第１の制御手段の各々は、
前記光センサーの検出値と、対応する目標値との差を演算する減算手段と、
前記減算手段の演算結果に１未満の係数を乗ずることにより前記制御値を演算する乗算手段と、
前記乗算手段の演算結果を積分する積分手段とを含む、請求項１に記載の面光源制御装置。
【請求項３】
前記複数の第１の制御手段の各々は、
前記光センサーの検出値と、対応する目標値との差を演算する減算手段と、
前記減算手段の演算結果に所定の係数を乗ずることにより、前記減算手段の演算結果と符号が同じで、前記減算手段の演算結果の絶対値より値が小さい前記制御値を演算する乗算手段と、
前記乗算手段の演算結果を積分する積分手段とを含む、請求項１に記載の面光源制御装置。
【請求項４】
面光源に設けられた複数の発光部の発光量を制御する面光源制御装置であって、
前記複数の発光部の各々は、
複数の発光素子と、
受光する光強度を検出するための光センサーとを含み、
前記複数の発光部にそれぞれ含まれる複数の光センサーの検出値を取得する取得処理、および、取得した前記複数の光センサーの検出値を使用して前記複数の発光部の各々に含まれる前記複数の発光素子の発光量を制御する光量制御処理を繰返し行なう第１の制御手段と、
前記第１の制御手段がｎ（自然数）番目の前記取得処理を終了してから、（ｎ＋１）番目の前記取得処理を開始するまでの間に、前記ｎ番目の前記取得処理により取得された前記複数の光センサーの検出値を使用して前記複数の発光部の各々に含まれる前記複数の発光素子の発光量を制御する前記光量制御処理を前記第１の制御手段に行なわせることにより、前記複数の発光部の発光量の制御を、ほぼ同時に行なう第２の制御手段とを備える、面光源制御装置。
【請求項５】
前記複数の光センサーの検出値には、それぞれ、目標となる複数の目標値が存在し、
前記光量制御処理は、前記複数の光センサーの検出値の各々の値と、対応する目標値との差に基づいた値である制御値を用いて、対応する発光部に含まれる前記複数の発光素子の発光量を制御する処理である、請求項４に記載の面光源制御装置。
【請求項６】
前記第１の制御手段は、
前記光センサーの検出値と、対応する目標値との差を演算する減算手段と、
前記減算手段の演算結果に１未満の係数を乗ずることにより前記制御値を演算する乗算手段と、
前記乗算手段の演算結果を積分する積分手段とを含む、請求項５に記載の面光源制御装置。
【請求項７】
前記第１の制御手段は、
前記光センサーの検出値と、対応する目標値との差を演算する減算手段と、
前記減算手段の演算結果に所定の係数を乗ずることにより、前記減算手段の演算結果と符号が同じで、前記減算手段の演算結果の絶対値より値が小さい前記制御値を演算する乗算手段と、
前記乗算手段の演算結果を積分する積分手段とを含む、請求項５に記載の面光源制御装置。
【請求項８】
前記第１の制御手段は、前記積分手段による複数の積分結果をそれぞれ保持する複数の記憶手段を含む、請求項６または請求項７に記載の面光源制御装置。
【発明の詳細な説明】
【技術分野】
【０００１】
本発明は、面光源制御装置に関し、特に、平面ディスプレイ用のバックライトを制御する面光源制御装置に関する。
【背景技術】
【０００２】
近年、液晶パネルを用いた、薄型テレビおよび薄型ディスプレイが盛んに開発されている。液晶自体は発光せずシャッターの役割を担う素子である。そのため、透過型液晶ディスプレイでは、バックライトと称する面光源装置が非常に重要な役割を果たし、バックライトの色域がディスプレイの色域を決定している。現状の液晶ディスプレイの多くは、バックライトとして冷陰極管を用いている。しかしながら、冷陰極管は色域が狭いという欠点と、水銀を含有しているという欠点とを有する。
【０００３】
上記欠点を克服するために多数のＬＥＤ（Light Emitting Diode）を二次元アレイ状に配置した面光源装置が提案されている。しかし、この提案された面光源装置ではＬＥＤ個々のばらつきが問題となる。すなわちＬＥＤ個々に発光効率特性、温度特性、経時変化特性等のばらつきが存在するため、これが面光源装置の輝度むら、色むらとなり、特に液晶ディスプレイのバックライトの場合は表示画像の輝度むら、色むらとなって現れる。そのため、特開２００５−１１５３７２号公報（特許文献１）では、上記の面光源装置に複数の光センサーをさらに配置し、各光センサーの出力を用いて関連するＬＥＤを制御する技術が開示されている。
【特許文献１】特開２００５−１１５３７２号公報
【発明の開示】
【発明が解決しようとする課題】
【０００４】
しかしながら、特開２００５−１１５３７２号公報（特許文献１）に開示されているような従来の装置において、各々の光センサーの出力を用いてＬＥＤを制御する場合、制御対象となるＬＥＤ以外のＬＥＤの光が、制御対象となる光センサーの出力に与える影響を無視することができない。
【０００５】
上記問題を図１４を用いて説明する。図１４は、従来の面光源制御装置１００００の断面図である。図１４を参照して、面光源制御装置１００００は、基板５６００と、拡散板５７００とを備える。拡散板５７００は、基板５６００の上方を覆うように設けられる。拡散板５７００は、光を透過させる機能と、光を異なる複数の方向へ反射させる機能とを有する。なお、基板５６００も光を反射させる。
【０００６】
基板５６００の上部には、光センサー５１２０Ａ，５１２０Ｂと、ＬＥＤ５１１２Ａ，５１１４Ａ，５１１２Ｂ，５１１４Ｂとが配置される。すなわち、基板５６００は面光源として機能する。ＬＥＤ５１１２Ａ，５１１４Ａは、光を発する。光センサー５１２０Ａ，５１２０Ｂは、受光した光の強さを検出する。
【０００７】
次に、面光源制御装置１００００の動作を説明する。面光源制御装置１００００は、光センサー５１２０Ａが検出した光の強さの値を用いて、ＬＥＤ５１１２Ａ，５１１４Ａを制御する。また、面光源制御装置１００００は、光センサー５１２０Ｂが検出した光の強さの値を用いて、ＬＥＤ５１１２Ｂ，５１１４Ｂを制御する。この場合、光センサー５１２０Ａには、ＬＥＤ５１１２Ｂ，５１１４Ｂの光が拡散板５７００と基板５６００との間で反射を繰り返した光である光Ｌ３１２Ｂ，Ｌ３１４Ｂが到達する。また、光センサー５１２０Ｂには、ＬＥＤ５１１２Ａ，５１１４Ａの光が拡散板５７００と基板５６００との間で反射を繰り返した光である光Ｌ３１２Ａ，Ｌ３１４Ａが到達する。
【０００８】
以下においては、制御対象ではないＬＥＤの光により光センサーが影響を受けてしまう現象をクロストークと称する。したがって、クロストークが発生する範囲である面光源全面のＬＥＤの光量が制御に影響を与えるため、各々の光センサーが検出した光の強さを示す検出値を用いてどのＬＥＤをどのように制御するかという具体的な手法が重要な課題となる。
【０００９】
本発明は、上述の問題点を解決するためになされたものであって、その目的は、精度の高い光量制御を行なうことが可能な面光源制御装置を提供することである。
【課題を解決するための手段】
【００１０】
上述の課題を解決するために、この発明のある局面に従うと、面光源に設けられた複数の発光部の発光量を制御する面光源制御装置であって、複数の発光部の各々は、複数の発光素子と、受光する光強度を検出するための光センサーとを含み、面光源制御装置は、タイミング指示に応じて、複数の発光部が発する光量をそれぞれ制御する複数の第１の制御手段と、複数のタイミング指示を、それぞれ、複数の第１の制御手段へほぼ同時に出力することにより、複数の第１の制御手段の各々に光量の制御をほぼ同時に行なわせる第２の制御手段とを備え、複数の第１の制御手段の各々は、入力されたタイミング指示に応じて、対応する発光部の光センサーの検出値と、対応する発光部の光センサーの検出値の目標となる目標値との差に基づく制御値を用いて、対応する発光部に含まれる複数の発光素子の発光量を制御する。
【００１１】
好ましくは、複数の第１の制御手段の各々は、光センサーの検出値と、対応する目標値との差を演算する減算手段と、減算手段の演算結果に１未満の係数を乗ずることにより制御値を演算する乗算手段と、乗算手段の演算結果を積分する積分手段とを含む。
【００１２】
好ましくは、複数の第１の制御手段の各々は、光センサーの検出値と、対応する目標値との差を演算する減算手段と、減算手段の演算結果に所定の係数を乗ずることにより、減算手段の演算結果と符号が同じで、減算手段の演算結果の絶対値より値が小さい制御値を演算する乗算手段と、乗算手段の演算結果を積分する積分手段とを含む。
【００１３】
この発明の他の局面に従うと、面光源に設けられた複数の発光部の発光量を制御する面光源制御装置であって、複数の発光部の各々は、複数の発光素子と、受光する光強度を検出するための光センサーとを含み、面光源制御装置は、複数の発光部にそれぞれ含まれる複数の光センサーの検出値を取得する取得処理、および、取得した複数の光センサーの検出値を使用して複数の発光部の各々に含まれる複数の発光素子の発光量を制御する光量制御処理を繰返し行なう第１の制御手段と、第１の制御手段がｎ（自然数）番目の取得処理を終了してから、（ｎ＋１）番目の取得処理を開始するまでの間に、ｎ番目の取得処理により取得された複数の光センサーの検出値を使用して複数の発光部の各々に含まれる複数の発光素子の発光量を制御する光量制御処理を第１の制御手段に行なわせることにより、複数の発光部の発光量の制御を、ほぼ同時に行なう第２の制御手段とを備える。
【００１４】
好ましくは、複数の光センサーの検出値には、それぞれ、目標となる複数の目標値が存在し、光量制御処理は、複数の光センサーの検出値の各々の値と、対応する目標値との差に基づいた値である制御値を用いて、対応する発光部に含まれる複数の発光素子の発光量を制御する処理である。
【００１５】
好ましくは、第１の制御手段は、光センサーの検出値と、対応する目標値との差を演算する減算手段と、減算手段の演算結果に１未満の係数を乗ずることにより制御値を演算する乗算手段と、乗算手段の演算結果を積分する積分手段とを含む。
【００１６】
好ましくは、第１の制御手段は、光センサーの検出値と、対応する目標値との差を演算する減算手段と、減算手段の演算結果に所定の係数を乗ずることにより、減算手段の演算結果と符号が同じで、減算手段の演算結果の絶対値より値が小さい制御値を演算する乗算手段と、乗算手段の演算結果を積分する積分手段とを含む。
【００１７】
好ましくは、第１の制御手段は、積分手段による複数の積分結果をそれぞれ保持する複数の記憶手段を含む。
【発明の効果】
【００１８】
本発明に係る面光源制御装置は、面光源に設けられた複数の発光部の発光量を制御する。複数の発光部の各々は、複数の発光素子と、光センサーとを含む。面光源制御装置は、タイミング指示に応じて、複数の発光部が発する光量をそれぞれ制御する複数の第１の制御手段と、複数のタイミング指示を、それぞれ、複数の第１の制御手段へほぼ同時に出力することにより、複数の第１の制御手段の各々に光量の制御をほぼ同時に行なわせる第２の制御手段とを備える。
【００１９】
したがって、精度の高い光量制御を行なうことができるという効果を奏する。
本発明に係る面光源制御装置は、面光源に設けられた複数の発光部の発光量を制御する。複数の発光部の各々は、複数の発光素子と、光センサーとを含む。面光源制御装置は、複数の発光部にそれぞれ含まれる複数の光センサーの検出値を取得する取得処理を繰返し行なう第１の制御手段と、第１の制御手段がｎ（自然数）番目の取得処理を終了してから、（ｎ＋１）番目の取得処理を開始するまでの間に、ｎ番目の取得処理により取得された複数の光センサーの検出値を使用して複数の発光部の各々に含まれる複数の発光素子の発光量を制御する光量制御処理を第１の制御手段に行なわせることにより、複数の発光部の発光量の制御を、ほぼ同時に行なう第２の制御手段とを備える。
【００２０】
したがって、精度の高い光量制御を行なうことができるという効果を奏する。
【発明を実施するための最良の形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
＜第１の実施の形態＞
図１は、本実施の形態における面光源制御装置１０００のブロック図を示す。図１には、説明のために面光源１００も表示している。図１を参照して、面光源制御装置１０００は、面光源１００を制御する。なお、面光源制御装置１０００は、面光源１００を備えていてもよい。
【００２３】
面光源１００は、発光部Ｒ１００Ａ，Ｒ１００Ｂ，Ｒ１００Ｃ，Ｒ１００Ｄとを含む。発光部Ｒ１００Ａは、ＬＥＤ１１２Ａ，１１４Ａ，１１６Ａ，１１８Ａと、光センサー１２０Ａとを有する。ＬＥＤ１１２Ａ，１１４Ａ，１１６Ａ，１１８Ａは直列に接続されている。ＬＥＤ１１２Ａ，１１４Ａ，１１６Ａ，１１８Ａは、電流が流れることにより、光を発光する素子である。なお、光を発光する素子は、ＬＥＤに限定されることなく、他のものであってもよい。
【００２４】
光センサー１２０Ａは、受光した光を電流に変換する光電変換素子である。すなわち、光センサー１２０Ａは、光を電流に変換することにより、光センサー１２０Ａが受光する光の強さ（光強度）を検出する。
【００２５】
発光部Ｒ１００Ｂは、ＬＥＤ１１２Ｂ，１１４Ｂ，１１６Ｂ，１１８Ｂと、光センサー１２０Ｂとを有する。ＬＥＤ１１２Ｂ，１１４Ｂ，１１６Ｂ，１１８Ｂは直列に接続されている。ＬＥＤ１１２Ｂ，１１４Ｂ，１１６Ｂ，１１８Ｂの各々は、ＬＥＤ１１２Ａと同様な物なので詳細な説明は繰り返さない。光センサー１２０Ｂは、光センサー１２０Ａと同様な物なので詳細な説明は繰り返さない。
【００２６】
発光部Ｒ１００Ｃは、ＬＥＤ１１２Ｃ，１１４Ｃ，１１６Ｃ，１１８Ｃと、光センサー１２０Ｃとを有する。ＬＥＤ１１２Ｃ，１１４Ｃ，１１６Ｃ，１１８Ｃは直列に接続されている。ＬＥＤ１１２Ｃ，１１４Ｃ，１１６Ｃ，１１８Ｃの各々は、ＬＥＤ１１２Ａと同様な物なので詳細な説明は繰り返さない。光センサー１２０Ｃは、光センサー１２０Ａと同様な物なので詳細な説明は繰り返さない。
【００２７】
発光部Ｒ１００Ｄは、ＬＥＤ１１２Ｄ，１１４Ｄ，１１６Ｄ，１１８Ｄと、光センサー１２０Ｄとを有する。ＬＥＤ１１２Ｄ，１１４Ｄ，１１６Ｄ，１１８Ｄは直列に接続されている。ＬＥＤ１１２Ｄ，１１４Ｄ，１１６Ｄ，１１８Ｄの各々は、ＬＥＤ１１２Ａと同様な物なので詳細な説明は繰り返さない。光センサー１２０Ｄは、光センサー１２０Ａと同様な物なので詳細な説明は繰り返さない。
【００２８】
図２は、面光源１００のＸ−Ｘ’間の断面図である。図２を参照して、面光源１００は、基板１６０と、拡散板１７０とを含む。基板１６０は光を反射する反射板として機能する。基板１６０の上部には、図１のＬＥＤ１１２Ａ，１１４Ａ，１１６Ａ，１１８Ａ，１１２Ｂ，１１４Ｂ，１１６Ｂ，１１８Ｂ，１１２Ｃ，１１４Ｃ，１１６Ｃ，１１８Ｃ，１１２Ｄ，１１４Ｄ，１１６Ｄ，１１８Ｄと、光センサー１２０Ａ，１２０Ｂ，１２０Ｃ，１２０Ｄとが実装される。
【００２９】
なお、図２は、面光源１００のＸ−Ｘ’間の断面図なので、ＬＥＤ１１２Ａ，１１４Ａ，１１２Ｂ，１１４Ｂと、光センサー１２０Ａ，１２０Ｂとのみが示されている。
【００３０】
拡散板１７０は、基板１６０の上方に設けられる。拡散板１７０は、光を透過させ、外部へ放射する機能と、光を異なる複数の方向へ反射させる機能とを有する。光センサー１２０Ａ，１２０Ｂ，１２０Ｃ，１２０Ｄの各々は、拡散板１７０からの反射光の強さを主に検出する。なお、面光源１００が、液晶ディスプレイのバックライトとして使用される場合は、拡散板１７０の上部に液晶パネルが配置される。
【００３１】
再び、図１を参照して、面光源制御装置１０００はさらに、電源２００と、光量制御部３００Ａ，３００Ｂ，３００Ｃ，３００Ｄと、制御部４００とを備える。
【００３２】
電源２００は、発光部Ｒ１００Ａ，Ｒ１００Ｂ，Ｒ１００Ｃ，Ｒ１００Ｄの各々へ電圧を供給する。電源２００が供給する電圧は、一例として、１５Ｖとである。電源２００は、ＬＥＤ１１２Ａ，１１２Ｂ，１１２Ｃ，１１２Ｄに接続される。
【００３３】
光量制御部３００Ａ，３００Ｂ，３００Ｃ，３００Ｄは、それぞれ、発光部Ｒ１００Ａ，Ｒ１００Ｂ，Ｒ１００Ｃ，Ｒ１００Ｄから照射される、単位時間あたりの光量を制御するための第１の制御手段として動作する。光量制御部３００Ａ，３００Ｂ，３００Ｃ，３００Ｄは、それぞれ、ＬＥＤ１１８Ａ，１１８Ｂ，１１８Ｃ，１１８Ｄに接続される。また、光量制御部３００Ａ，３００Ｂ，３００Ｃ，３００Ｄは、それぞれ、光センサー１２０Ａ，１２０Ｂ，１２０Ｃ，１２０Ｄに接続される。
【００３４】
光センサー１２０Ａ，１２０Ｂ，１２０Ｃ，１２０Ｄは、光強度電流ＬＩＡ，ＬＩＢ，ＬＩＣ，ＬＩＤを、それぞれ、光量制御部３００Ａ，３００Ｂ，３００Ｃ，３００Ｄへ常に出力する。光強度電流ＬＩＡ，ＬＩＢ，ＬＩＣ，ＬＩＤは、対応する光センサーにより検出された光強度を示す電流である。すなわち、光強度電流ＬＩＡ，ＬＩＢ，ＬＩＣ，ＬＩＤの各々の値は、対応する光センサーにより検出された光強度を示す検出値である。
【００３５】
光量制御部３００Ａは、光センサー１２０Ａから出力される光強度電流ＬＩＡに基づいて、発光部Ｒ１００Ａ、すなわち、ＬＥＤ１１２Ａ，１１４Ａ，１１６Ａ，１１８Ａの単位時間あたりの光量を制御する。光量制御部３００Ｂは、光センサー１２０Ｂから出力される光強度電流ＬＩＢに基づいて、発光部Ｒ１００Ｂ、すなわち、ＬＥＤ１１２Ｂ，１１４Ｂ，１１６Ｂ，１１８Ｂの単位時間あたりの光量を制御する。光量制御部３００Ｃは、光センサー１２０Ｃから出力される光強度電流ＬＩＣに基づいて、発光部Ｒ１００Ｃ、すなわち、ＬＥＤ１１２Ｃ，１１４Ｃ，１１６Ｃ，１１８Ｃの単位時間あたりの光量を制御する。光量制御部３００Ｄは、光センサー１２０Ｄから出力される光強度電流ＬＩＤに基づいて、発光部Ｒ１００Ｄ、すなわち、ＬＥＤ１１２Ｄ，１１４Ｄ，１１６Ｄ，１１８Ｄの単位時間あたりの光量を制御する。
【００３６】
制御部４００は、第１の制御手段として動作する光量制御部３００Ａ，３００Ｂ，３００Ｃ，３００Ｄに接続される。制御部４００は、光量制御部３００Ａ，３００Ｂ，３００Ｃ，３００Ｄを制御するための第２の制御手段として動作する。すなわち、制御部４００は、面光源１００内の発光部Ｒ１００Ａ，Ｒ１００Ｂ，Ｒ１００Ｃ，Ｒ１００Ｄの制御を行なう。なお、面光源１００内の発光部Ｒ１００Ａ，Ｒ１００Ｂ，Ｒ１００Ｃ，Ｒ１００Ｄの制御の詳細な説明は後述する。
【００３７】
制御部４００は、タイミング信号Ｔ１Ａ，Ｔ１Ｂ，Ｔ１Ｃ，Ｔ１Ｄを、それぞれ、光量制御部３００Ａ，３００Ｂ，３００Ｃ，３００Ｄへ出力する。タイミング信号Ｔ１Ａ，Ｔ１Ｂ，Ｔ１Ｃ，Ｔ１Ｄは、それぞれ、光量制御部３００Ａ，３００Ｂ，３００Ｃ，３００Ｄに後述する処理を行なわせるための信号である。また、制御部４００は、タイミング信号Ｔ２Ａ，Ｔ２Ｂ，Ｔ２Ｃ，Ｔ２Ｄを、それぞれ、光量制御部３００Ａ，３００Ｂ，３００Ｃ，３００Ｄへ出力する。タイミング信号Ｔ２Ａ，Ｔ２Ｂ，Ｔ２Ｃ，Ｔ２Ｄは、それぞれ、光量制御部３００Ａ，３００Ｂ，３００Ｃ，３００Ｄに後述する処理を行なわせるための信号である。
【００３８】
図３は、光量制御部３００Ａ，３００Ｂ，３００Ｃ，３００Ｄに入力される、一例としてのタイミング信号の動作波形図である。図３を参照して、横軸は、時間を示す。以下においては、信号およびデータ等の２値的な高電圧状態（たとえば、電源電圧Ｖｃｃ）および低電圧状態（たとえば、接地電圧ＧＮＤ）を、それぞれ、Ｈレベル（“１”）およびＬレベル（“０”）とも称する。
【００３９】
タイミング信号Ｔ１Ａ，Ｔ１Ｂ，Ｔ１Ｃ，Ｔ１Ｄの各々は、図３のように、所定の周期で、ＨレベルからＬレベルになり、その後、Ｈレベルになる信号である。また、タイミング信号Ｔ２Ａ，Ｔ２Ｂ，Ｔ２Ｃ，Ｔ２Ｄの各々は、図３のように、所定の周期で、ＬレベルからＨレベルになり、その後、Ｌレベルになる信号である。
【００４０】
なお、制御部４００がソフトウエアで制御されており、割込み処理等があった場合、制御部４００から出力されるタイミング信号Ｔ１Ａ，Ｔ１Ｂ，Ｔ１Ｃ，Ｔ１Ｄの立ち下がりのタイミングは、図３のように全く同時にはならない場合がある。
【００４１】
また、制御部４００から、立ち下がりのタイミングが全く同じタイミング信号Ｔ１Ａ，Ｔ１Ｂ，Ｔ１Ｃ，Ｔ１Ｄが出力されたとしても、制御部４００から光量制御部３００Ａ，３００Ｂ，３００Ｃ，３００Ｄの各々までの配線の長さの違い等により、タイミング信号Ｔ１Ａ，Ｔ１Ｂ，Ｔ１Ｃ，Ｔ１Ｄの立ち下がりのタイミングが図３のように多少ずれる場合もある。もちろん、光量制御部３００Ａ，３００Ｂ，３００Ｃ，３００Ｄにそれぞれ入力される、タイミング信号Ｔ１Ａ，Ｔ１Ｂ，Ｔ１Ｃ，Ｔ１Ｄの各々の立ち下がりのタイミングは全く同じであってもよい。
【００４２】
タイミング信号Ｔ２Ａ，Ｔ２Ｂ，Ｔ２Ｃ，Ｔ２Ｄも、上記のタイミング信号Ｔ１Ａ，Ｔ１Ｂ，Ｔ１Ｃ，Ｔ１Ｄと同様な理由で、立ち上がりのタイミングが図３のように多少ずれる場合もある。もちろん、光量制御部３００Ａ，３００Ｂ，３００Ｃ，３００Ｄにそれぞれ入力される、タイミング信号Ｔ２Ａ，Ｔ２Ｂ，Ｔ２Ｃ，Ｔ２Ｄの各々の立ち上がりのタイミングは全く同じであってもよい。
【００４３】
再び、図１を参照して、制御部４００は、さらに、目標データＴＧＡ，ＴＧＢ，ＴＧＣ，ＴＧＤを、光量制御部３００Ａ，３００Ｂ，３００Ｃ，３００Ｄへ常に出力する。目標データＴＧＡ，ＴＧＢ，ＴＧＣ，ＴＧＤは、それぞれ、光センサー１２０Ａ，１２０Ｂ，１２０Ｃ，１２０Ｄの検出値の目標となる値（以下、目標値ともいう）を示すデータである。なお、目標データＴＧＡ，ＴＧＢ，ＴＧＣ，ＴＧＤの各々の目標値は、発光部Ｒ１００Ａ，Ｒ１００Ｂ，Ｒ１００Ｃ，Ｒ１００Ｄの各々に含まれる複数のＬＥＤから発せられる単位時間あたりの光量が同じになるように設定される。
【００４４】
したがって、発光部Ｒ１００Ａ，Ｒ１００Ｂ，Ｒ１００Ｃ，Ｒ１００Ｄの各々に含まれる複数のＬＥＤの発光量等の状態が全て同じであれば、目標データＴＧＡ，ＴＧＢ，ＴＧＣ，ＴＧＤの各々の目標値は、同じ値に設定される。また、発光部Ｒ１００Ａ，Ｒ１００Ｂ，Ｒ１００Ｃ，Ｒ１００Ｄの各々に含まれる複数のＬＥＤの発光量等の状態が異なれば、目標データＴＧＡ，ＴＧＢ，ＴＧＣ，ＴＧＤの各々の目標値は、対応する発光部に応じた異なる値に設定される。目標データＴＧＡの目標値は、一例として、“１２８”であるとする。
【００４５】
また、制御部４００は、係数データＣＥＡ，ＣＥＢ，ＣＥＣ，ＣＥＤを、光量制御部３００Ａ，３００Ｂ，３００Ｃ，３００Ｄへ常に出力する。係数データＣＥＡ，ＣＥＢ，ＣＥＣ，ＣＥＤは、それぞれ、光量制御部３００Ａ，３００Ｂ，３００Ｃ，３００Ｄで使用される係数を示すデータである。係数は、１未満の値である。係数データＣＥＡ，ＣＥＢ，ＣＥＣ，ＣＥＤの各々が示す係数は、一例として、“０．０１”であるとする。なお、係数データＣＥＡ，ＣＥＢ，ＣＥＣ，ＣＥＤの各々は、異なる係数であってもよい。
【００４６】
図４は、光量制御部３００Ａの内部構成を示すブロック図である。図４を参照して、光量制御部３００Ａは、電流電圧変換回路３１２と、Ａ／Ｄ変換器３１４と、データ保持回路３１６と、減算器３２０とを含む。
【００４７】
Ａ／Ｄ変換器３１４およびデータ保持回路３１６には、制御部４００から出力されるタイミング信号Ｔ１Ａが入力される。減算器３２０には、制御部４００から出力される目標データＴＧＡが常に入力される。
【００４８】
電流電圧変換回路３１２は、光センサー１２０Ａから出力される光強度電流ＬＩＡを電圧に変換する処理を常に行なう。電流電圧変換回路３１２により変換された電圧は、Ａ／Ｄ変換器３１４に常に印加される。
【００４９】
Ａ／Ｄ変換器３１４は、常に印加される電圧を、制御部４００から出力されるタイミング信号Ｔ１Ａの立ち下がりの時刻に量子化し、デジタル値に変換する処理を行なう。そして、Ａ／Ｄ変換器３１４は、量子化した電圧のデータを、データ保持回路３１６へ常に出力する。
【００５０】
データ保持回路３１６は、データを一時的に保持する機能を有する。データ保持回路３１６は、一例として、複数のＤフリップフロップ回路から構成される。データ保持回路３１６は、制御部４００から出力されたタイミング信号Ｔ１Ａの立ち上がりに応じて、Ａ／Ｄ変換器３１４から常に出力される電圧データを減算器３２０へ出力し、かつ、当該電圧データを保持する。なお、データ保持回路３１６は、保持している電圧データを、常に減算器３２０へ出力する。
【００５１】
減算器３２０は、データ保持回路３１６から常に出力される電圧データが示す数値と、制御部４００から常に出力される目標データＴＧＡが示す光センサー１２０Ａの目標値（たとえば、１２８）との差を演算する。上記処理により、データ保持回路３１６から常に出力される電圧データが示す数値は、光センサー１２０Ａから出力される光強度電流ＬＩＡに対応する数値となる。すなわち、減算器３２０は、光センサー１２０Ａの検出値と、目標データＴＧＡが示す光センサー１２０Ａの検出値の目標となる目標値との差を演算する。そして、減算器３２０は、演算結果を、以下の過不足値演算部３２２へ常に出力する。
【００５２】
光量制御部３００Ａは、さらに、過不足値演算部３２２と、乗算器３２４と、積分器３３０と、ＰＷＭ信号生成回路３４０と、スイッチ３５０とを含む。
【００５３】
過不足値演算部３２２は、減算器３２０から常に出力される演算結果を使用して、光センサー１２０Ａの検出値と、当該目標データＴＧＡが示す光センサー１２０Ａの検出値の目標となる目標値とを一致させるための現時点における過不足値（以下、制御過不足値ともいう。）を演算する。当該演算は、たとえば、光センサー１２０Ａの光電変換ゲインおよび光センサー１２０Ａに対応するＬＥＤの駆動電流に対する発光効率等に基づき予め定められた正の係数を、減算器３２０から出力される演算結果に掛ける演算である。そのため、演算された制御過不足値の符号（正または負の符号）は、減算器３２０から出力される演算結果の符号と同じになる。そして、過不足値演算部３２２は、演算した制御過不足値を、乗算器３２４へ常に出力する。
【００５４】
乗算器３２４には、制御部４００から常に出力される係数データＣＥＡが入力される。係数データＣＥＡは、前述したように、１未満の係数（たとえば、０．０１）を示すデータである。乗算器３２４は、過不足値演算部３２２から常に出力される制御過不足値と、係数データＣＥＡが示す１未満の係数とを乗算し、乗算結果を、積分器３３０へ常に出力する。すなわち、乗算器３２４は、現時点の制御過不足値と符号が同じで、制御過不足値の絶対値より小さい値（以下、制御値ともいう）を、積分器３３０へ出力する。
【００５５】
積分器３３０は、加算器３３２と、データ保持回路３３４とを有する。データ保持回路３３４には、制御部４００から出力されるタイミング信号Ｔ２Ａが入力される。
【００５６】
加算器３３２は、乗算器３２４から常に出力される制御値と、現在、データ保持回路３３４が保持している値とを加算した演算結果を、データ保持回路３３４へ出力する。なお、はじめて、加算器３３２による演算が行なわれる場合、データ保持回路３３４は、所定値（たとえば、“０”）を保持しているとする。
【００５７】
データ保持回路３３４は、データを一時的に保持する機能を有する。データ保持回路３３４は、一例として、複数のＤフリップフロップ回路から構成される。データ保持回路３３４は、制御部４００から出力されたタイミング信号Ｔ２Ａの立ち上がりに応じて、加算器３３２から出力される演算結果を、加算器３３２およびＰＷＭ（Pulse Width Modulation）信号生成回路３４０へ出力し、かつ、当該演算結果を保持する。ＰＷＭ信号生成回路３４０へ出力される演算結果は、積分器３３０が、乗算器３２４から出力される制御値を積分した積分値となる。なお、データ保持回路３３４は、保持している演算結果を、常にＰＷＭ信号生成回路３４０へ出力する。
【００５８】
ＰＷＭ信号生成回路３４０は、データ保持回路３３４から常に出力される演算結果を使用して、パルス信号のパルスの幅を変えるパルス幅変調を行なう。パルス信号は、ＬレベルおよびＨレベルの電圧からなる信号である。なお、当該パルス信号のＨレベルの電圧値は、スイッチ３５０をオン状態にさせるのに必要な電圧（たとえば、１Ｖ）である。また、パルス信号は、所定周期毎に、ＬレベルまたはＨレベルを、所定時間維持するパルスを含む信号である。本実施の形態において、パルスの幅とは、一例として、Ｈレベルが続く幅であるとする。
【００５９】
ＰＷＭ信号生成回路３４０は、常に、所定周波数のパルス信号を、スイッチ３５０へ出力する。ここで、所定周波数とは、図３に示されるタイミング信号Ｔ１Ａの周波数の、たとえば、１０分の１程度の周波数である。
【００６０】
具体的には、ＰＷＭ信号生成回路３４０は、データ保持回路３３４から出力される演算結果に基づいて、出力しているパルス信号のパルス幅を変化させる。なお、ＰＷＭ信号生成回路３４０は、データ保持回路３３４から出力される演算結果の値が大きい程、出力しているパルス信号のパルス幅を大きくする。一方、ＰＷＭ信号生成回路３４０は、データ保持回路３３４から出力される演算結果の値が小さい程、出力しているパルス信号のパルス幅を小さくする。
【００６１】
スイッチ３５０は、ＬＥＤ１１８Ａと、接地電圧ＧＮＤとの間に接続される。スイッチ３５０は、一例として、ＮＰＮ型のバイポーラトランジスタである。なお、スイッチ３５０は、ＮＰＮ型のバイポーラトランジスタであることに限定されることなく、Ｈレベルの信号が入力されることにより、ＬＥＤ１１８Ａと、接地電圧ＧＮＤとの間に電流を流す機能を有するものであれば、どのような回路であってもよい。
【００６２】
スイッチ３５０は、ＰＷＭ信号生成回路３４０から常に出力されるパルス信号により、ベースに、Ｈレベルの電圧が印加されることによりオン状態となる。オン状態となったスイッチ３５０は、ＬＥＤ１１８Ａと、接地電圧ＧＮＤとの間に電流を流す。当該電流は、電源２００から、ＬＥＤ１１２Ａ，１１４Ａ，１１６Ａ，１１８Ａ、スイッチ３５０を介して、接地電圧ＧＮＤに向かって流れる。これにより、ＬＥＤ１１２Ａ，１１４Ａ，１１６Ａ，１１８Ａは、スイッチ３５０がオン状態の間、光を発光し続ける。したがって、スイッチ３５０は、ＰＷＭ信号生成回路３４０から常に出力されるパルス信号により、ＬＥＤ１１２Ａ，１１４Ａ，１１６Ａ，１１８Ａから発せられる、単位時間あたりの光量を制御することができる。
【００６３】
なお、光量制御部３００Ｂの構成および処理は、前述の光量制御部３００Ａの構成および処理の説明において、光センサー１２０Ａ、光強度電流ＬＩＡ、タイミング信号Ｔ１Ａ、タイミング信号Ｔ２Ａ、目標データＴＧＡ、係数データＣＥＡ、ＬＥＤ１１２Ａ，１１４Ａ，１１６Ａ，１１８Ａを、それぞれ、光センサー１２０Ｂ、光強度電流ＬＩＢ、タイミング信号Ｔ１Ｂ、タイミング信号Ｔ２Ｂ、目標データＴＧＢ、係数データＣＥＢ、ＬＥＤ１１２Ｂ，１１４Ｂ，１１６Ｂ，１１８Ｂに置き換えた説明における構成および処理と同様なので詳細な説明は繰り返さない。
【００６４】
また、光量制御部３００Ｃの構成および処理は、前述の光量制御部３００Ａの構成および処理の説明において、光センサー１２０Ａ、光強度電流ＬＩＡ、タイミング信号Ｔ１Ａ、タイミング信号Ｔ２Ａ、目標データＴＧＡ、係数データＣＥＡ、ＬＥＤ１１２Ａ，１１４Ａ，１１６Ａ，１１８Ａを、それぞれ、光センサー１２０Ｃ、光強度電流ＬＩＣ、タイミング信号Ｔ１Ｃ、タイミング信号Ｔ２Ｃ、目標データＴＧＣ、係数データＣＥＣ、ＬＥＤ１１２Ｃ，１１４Ｃ，１１６Ｃ，１１８Ｃに置き換えた説明における構成および処理と同様なので詳細な説明は繰り返さない。
【００６５】
また、光量制御部３００Ｄの構成および処理は、前述の光量制御部３００Ａの構成および処理の説明において、光センサー１２０Ａ、光強度電流ＬＩＡ、タイミング信号Ｔ１Ａ、タイミング信号Ｔ２Ａ、目標データＴＧＡ、係数データＣＥＡ、ＬＥＤ１１２Ａ，１１４Ａ，１１６Ａ，１１８Ａを、それぞれ、光センサー１２０Ｄ、光強度電流ＬＩＤ、タイミング信号Ｔ１Ｄ、タイミング信号Ｔ２Ｄ、目標データＴＧＤ、係数データＣＥＤ、ＬＥＤ１１２Ｄ，１１４Ｄ，１１６Ｄ，１１８Ｄに置き換えた説明における構成および処理と同様なので詳細な説明は繰り返さない。
【００６６】
次に、面光源制御装置１０００の動作について、図１、図３および図４を参照しながら説明する。なお、光量制御部３００Ａ，３００Ｂ，３００Ｃ，３００Ｄの各々の内部で行なわれる処理の詳細な説明は、前述したのと同様なので繰り返さない。
【００６７】
ここでは、面光源制御装置１０００の内部で行なわれるマクロ的な処理について説明する。まず、光量制御部３００Ａ，３００Ｂ，３００Ｃ，３００Ｄの各々の電流電圧変換回路３１２は、対応する光センサーから出力される光強度電流を電圧に変換する。そして、第２の制御手段として動作する制御部４００は、図３に示すように、時刻ｔ０〜時刻ｔ１の間の期間であるデータ取得期間ＤＴ１内に、タイミング信号Ｔ１Ａ，Ｔ１Ｂ，Ｔ１Ｃ，Ｔ１Ｄを、それぞれ、第１の制御手段として動作する光量制御部３００Ａ，３００Ｂ，３００Ｃ，３００Ｄへ出力する。なお、タイミング信号Ｔ１Ａ，Ｔ１Ｂ，Ｔ１Ｃ，Ｔ１Ｄの各々の信号は、立ち下がりおよび立ち上がりの時刻が、データ取得期間ＤＴ１およびデータ取得期間ＤＴ２内となる信号である。
【００６８】
また、データ取得期間ＤＴ１は、たとえば、面光源制御装置１０００を使用する表示装置に画像が表示される周期の周波数（以下、表示周波数ともいう）のｎ（２以上の自然数）倍の周波数に基づいて定められる。たとえば、表示周波数が６０Ｈｚで、ｎが８の場合、データ取得期間ＤＴ１は、６０Ｈｚの８倍の周波数である４８０Ｈｚに基づいて定められる。具体的には、データ取得期間ＤＴ１は、１／（ｎ倍の周波数）により算出される。よって、データ取得期間ＤＴ１は、１／４８０より、約２．１ミリ秒となる。
【００６９】
したがって、データ取得期間ＤＴ１は、非常に短い時間であるので、制御部４００は、タイミング信号Ｔ１Ａ，Ｔ１Ｂ，Ｔ１Ｃ，Ｔ１Ｄの立ち下がりおよび立ち上がりの部分を、ほぼ同時に、それぞれ、光量制御部３００Ａ，３００Ｂ，３００Ｃ，３００Ｄへ出力することになる。
【００７０】
上記処理により、データ取得期間ＤＴ１において、光量制御部３００Ａ，３００Ｂ，３００Ｃ，３００Ｄの各々に含まれるＡ／Ｄ変換器３１４は、対応するタイミング信号（Ｔ１Ａ、Ｔ１Ｂ、Ｔ１ＣまたはＴ１Ｄ）の立ち下がりの時刻に、対応する光強度電流が電圧に変換された値を量子化し、デジタル値に変換する。そして、量制御部３００Ａ，３００Ｂ，３００Ｃ，３００Ｄの各々に含まれるデータ保持回路３１６は、対応するタイミング信号（Ｔ１Ａ、Ｔ１Ｂ、Ｔ１ＣまたはＴ１Ｄ）の立ち上がりの時刻に、Ａ／Ｄ変換器３１４から出力された電圧データを減算器３２０へ出力し、かつ、当該電圧データを保持する。以上の処理により、データ取得期間ＤＴ１内において、光センサー１２０Ａ，１２０Ｂ，１２０Ｃ，１２０Ｄの各々の検出値が全て取得（サンプリング）される。なお、データ保持回路３１６は、保持している電圧データを、常に減算器３２０へ出力する。
【００７１】
なお、時刻ｔ２〜時刻ｔ３の間の期間であるデータ取得期間ＤＴ２は、データ取得期間ＤＴ１の次に、光センサー１２０Ａ，１２０Ｂ，１２０Ｃ，１２０Ｄの各々の検出値が取得される期間である。したがって、データ取得期間ＤＴ１が終了する時刻ｔ１から、データ取得期間ＤＴ２の開始時刻である時刻ｔ２までの間である光量制御期間ＬＣＴ１内に、制御部４００は、面光源１００が発する単位時間あたりの光量を制御する以下の処理を行なう。
【００７２】
まず、光量制御期間ＬＣＴ１内において、光量制御部３００Ａ，３００Ｂ，３００Ｃ，３００Ｄの各々において、前述した減算器３２０、過不足値演算部３２２、乗算器３２４の処理が行なわれる。
【００７３】
そして、第２の制御手段として動作する制御部４００は、図３に示すように、光量制御期間ＬＣＴ１内に、タイミング信号Ｔ２Ａ，Ｔ２Ｂ，Ｔ２Ｃ，Ｔ２Ｄの立ち上がりおよび立ち下がりの部分を、それぞれ、第１の制御手段として動作する光量制御部３００Ａ，３００Ｂ，３００Ｃ，３００Ｄへ出力する。なお、タイミング信号Ｔ２Ａ，Ｔ２Ｂ，Ｔ２Ｃ，Ｔ２Ｄの各々の信号は、立ち上がりの時刻が、光量制御期間ＬＣＴ１内となる信号である。
【００７４】
また、光量制御期間ＬＣＴ１は、たとえば、面光源制御装置１０００を使用する表示装置に画像が表示される周期の表示周波数のｎ（２以上の自然数）倍の周波数に基づいて定められる。たとえば、表示周波数が６０Ｈｚで、ｎが４の場合、光量制御期間ＬＣＴ１は、６０Ｈｚの４倍の周波数である２４０Ｈｚに基づいて定められる。具体的には、光量制御期間ＬＣＴ１は、１／（ｎ倍の周波数）により算出される。よって、光量制御期間ＬＣＴ１は、１／２４０より、約４．２ミリ秒となる。
【００７５】
したがって、光量制御期間ＬＣＴ１は、非常に短い時間であるので、制御部４００は、タイミング信号Ｔ２Ａ，Ｔ２Ｂ，Ｔ２Ｃ，Ｔ２Ｄの立ち上がりおよび立ち下がりの部分を、ほぼ同時に、それぞれ、光量制御部３００Ａ，３００Ｂ，３００Ｃ，３００Ｄへ出力することになる。
【００７６】
上記処理により、光量制御部３００Ａ，３００Ｂ，３００Ｃ，３００Ｄの各々に含まれる積分器３３０は、対応するタイミング信号（Ｔ２Ａ、Ｔ２Ｂ、Ｔ２ＣまたはＴ２Ｄ）の立ち上がりの時刻に、乗算器３２４から出力される制御値を積分した積分値を、ＰＷＭ信号生成回路３４０へ出力し、かつ、当該制御値を保持する。すなわち、光量制御部３００Ａ，３００Ｂ，３００Ｃ，３００Ｄの各々に含まれる積分器３３０は、ほぼ同時に、乗算器３２４から出力される制御値を演算した演算結果を、ＰＷＭ信号生成回路３４０へ出力する。なお、データ保持回路３３４は、保持している演算結果を、常にＰＷＭ信号生成回路３４０へ出力する。
【００７７】
そして、光量制御部３００Ａ，３００Ｂ，３００Ｃ，３００Ｄの各々に含まれるＰＷＭ信号生成回路３４０は、ほぼ同時に、積分器３３０から出力された演算結果を使用して、前述のパルス幅変調の処理を行なう。したがって、光量制御部３００Ａ，３００Ｂ，３００Ｃ，３００Ｄの各々に含まれる、前述のスイッチ３５０の処理により、ほぼ同時に、発光部Ｒ１００Ａ，Ｒ１００Ｂ，Ｒ１００Ｃ，Ｒ１００Ｄの各々に含まれる複数のＬＥＤの単位時間あたりの光量を制御することができる。
【００７８】
そして、データ取得期間ＤＴ１および光量制御期間ＬＣＴ１における、前述した処理が繰返し行なわれる。したがって、データ取得期間ＤＴ１および光量制御期間ＬＣＴ１における、前述した処理が繰返し行なわれることにより、発光部Ｒ１００Ａ，Ｒ１００Ｂ，Ｒ１００Ｃ，Ｒ１００Ｄの各々に含まれる光センサーの検出値は、当該検出値の目標となる目標値とほぼ同じ値になる。
【００７９】
また、前述したように、目標データＴＧＡ，ＴＧＢ，ＴＧＣ，ＴＧＤの各々の目標値は、発光部Ｒ１００Ａ，Ｒ１００Ｂ，Ｒ１００Ｃ，Ｒ１００Ｄの各々に含まれる複数のＬＥＤから発せられる単位時間あたりの光量が同じになるように設定される。そのため、発光部Ｒ１００Ａ，Ｒ１００Ｂ，Ｒ１００Ｃ，Ｒ１００Ｄの各々に含まれる複数のＬＥＤから発せられる単位時間あたりの光量はほぼ同じとなる。
【００８０】
以上説明したように、本実施の形態によれば、発光部Ｒ１００Ａ，Ｒ１００Ｂ，Ｒ１００Ｃ，Ｒ１００Ｄの各々に含まれる複数のＬＥＤの単位時間あたりの光量の制御が、ほぼ同時に行なわれる。そのため、発光部Ｒ１００Ａ，Ｒ１００Ｂ，Ｒ１００Ｃ，Ｒ１００Ｄの各々に含まれる光センサーが、前述のクロストークの影響を受けていても、精度の高い光量制御を行なうことができるという効果を奏する。
【００８１】
また、発光部Ｒ１００Ａ，Ｒ１００Ｂ，Ｒ１００Ｃ，Ｒ１００Ｄの各々に含まれる複数のＬＥＤの単位時間あたりの光量の制御が繰返し行なわれる。そのため、発光部Ｒ１００Ａ，Ｒ１００Ｂ，Ｒ１００Ｃ，Ｒ１００Ｄの各々に含まれる光センサーの検出値は、当該検出値の目標となる目標値とほぼ同じ値になる。
【００８２】
また、目標データＴＧＡ，ＴＧＢ，ＴＧＣ，ＴＧＤの各々の目標値は、発光部Ｒ１００Ａ，Ｒ１００Ｂ，Ｒ１００Ｃ，Ｒ１００Ｄの各々に含まれる複数のＬＥＤから発せられる単位時間あたりの光量が同じになるように設定される。そのため、発光部Ｒ１００Ａ，Ｒ１００Ｂ，Ｒ１００Ｃ，Ｒ１００Ｄの各々に含まれる複数のＬＥＤから発せられる単位時間あたりの光量はほぼ同じとなる。
【００８３】
したがって、各発光部の目標値を適切に設定することで、温度変化、経時変化等により、複数のＬＥＤのうちの一部のＬＥＤの特性が変化した場合でも、均一でむらの無い面光源を安定して得ることができるという効果を奏する。
【００８４】
＜第１の実施の形態の変形例＞
本実施の形態では、第１の実施の形態における、光量制御部と異なる構成の光量制御部を備える面光源制御装置について説明する。
【００８５】
図５は、本実施の形態における面光源制御装置１０００Ａのブロック図を示す。図５を参照して、面光源制御装置１０００Ａは、図１の面光源制御装置１０００と比較して、光量制御部３００Ａ，３００Ｂ，３００Ｃ，３００Ｄの代わりに光量制御部３０１Ａ，３０１Ｂ，３０１Ｃ，３０１Ｄを備える点のみが異なる。それ以外の構成は、面光源制御装置１０００と同様なので詳細な説明は繰り返さない。
【００８６】
図６は、本実施の形態における光量制御部３０１Ａの内部構成を示すブロック図である。図６を参照して、光量制御部３０１Ａは、図４の光量制御部３００Ａと比較して、過不足値演算部３２２を含まない点のみが異なる。それ以外の構成は、光量制御部３００Ａと同様なので詳細な説明は繰り返さない。
【００８７】
次に、光量制御部３０１Ａの動作を説明する。まず、電流電圧変換回路３１２、Ａ／Ｄ変換器３１４、データ保持回路３１６が行なう処理は、前述した処理と同様なので詳細な説明は繰り返さない。
【００８８】
減算器３２０は、第１の実施の形態と同様に、光センサー１２０Ａの検出値と、目標データＴＧＡが示す光センサー１２０Ａの検出値の目標となる目標値との差を演算する。そして、減算器３２０は、演算結果を、乗算器３２４へ常に出力する。
【００８９】
乗算器３２４は、減算器３２０から出力される演算結果を使用して、光センサー１２０Ａの検出値と、当該目標データＴＧＡが示す光センサー１２０Ａの検出値の目標となる目標値とを一致させるための制御値を演算する。当該演算は、たとえば、光センサー１２０Ａの光電変換ゲインまたは光センサー１２０Ａに対応するＬＥＤの駆動電流に対する発光効率等に基づき予め定められた所定の係数（１未満の値（たとえば、０．００１））を、減算器３２０から出力される演算結果に掛ける演算である。この演算により、減算器３２０の演算結果と符号が同じで、減算器３２０の演算結果の絶対値より小さい制御値を算出することができる。そして、乗算器３２４は、算出した制御値を、積分器３３０へ出力する。
【００９０】
なお、乗算器３２４は、上記演算を行なうことなく、光センサー１２０Ａの検出値と、当該目標データＴＧＡが示す光センサー１２０Ａの検出値の目標となる目標値との差の値と符号が一致する微小な定数値を、積分器３３０へ出力してもよい。
【００９１】
その後に行なわれる、積分器３３０、ＰＷＭ信号生成回路３４０およびスイッチ３５０が行なう処理は、前述した処理と同様なので詳細な説明は繰り返さない。
【００９２】
以上の構成の面光源制御装置１０００Ａにおいて、第１の実施の形態において、図１、図３および図４を参照しながら説明した、前述の処理が行なわれることにより、本実施の形態における面光源制御装置１０００Ａにおいても、第１の実施の形態の奏する効果と同様な効果を得ることができる。
【００９３】
＜第２の実施の形態＞
本実施の形態では、１つの回路を共通して使用する面光源制御装置について説明する。
【００９４】
図７は、本実施の形態における面光源制御装置２０００のブロック図を示す。図７を参照して、面光源制御装置２０００は、図１の面光源制御装置１０００と比較して、光量制御部３００Ａ，３００Ｂ，３００Ｃ，３００Ｄの代わりに光量制御部５００を備える点と、制御部４００の代わりに制御部６００を備える点とが異なる。それ以外の構成は、面光源制御装置１０００と同様なので詳細な説明は繰り返さない。
【００９５】
光量制御部５００は、発光部Ｒ１００Ａ，Ｒ１００Ｂ，Ｒ１００Ｃ，Ｒ１００Ｄから照射される光量を制御するための第１の制御手段として動作する。光量制御部５００には、光センサー１２０Ａ，１２０Ｂ，１２０Ｃ，１２０Ｄが接続される。光センサー１２０Ａ，１２０Ｂ，１２０Ｃ，１２０Ｄは、光強度電流ＬＩＡ，ＬＩＢ，ＬＩＣ，ＬＩＤを、光量制御部５００へ常に出力する。前述したように、光強度電流ＬＩＡ，ＬＩＢ，ＬＩＣ，ＬＩＤは、対応する光センサーにより検出された光強度を示す電流である。すなわち、光強度電流ＬＩＡ，ＬＩＢ，ＬＩＣ，ＬＩＤの各々の値は、対応する光センサーにより検出された光強度を示す検出値である。
【００９６】
制御部６００は、第１の制御手段として動作する光量制御部５００に接続される。制御部６００は、光量制御部５００を制御するための第２の制御手段として動作する。すなわち、制御部６００は、面光源１００内の発光部Ｒ１００Ａ，Ｒ１００Ｂ，Ｒ１００Ｃ，Ｒ１００Ｄの制御を行なう。なお、面光源１００内の発光部Ｒ１００Ａ，Ｒ１００Ｂ，Ｒ１００Ｃ，Ｒ１００Ｄの制御の詳細な説明は後述する。
【００９７】
制御部６００は、タイミング信号Ｔ１，Ｔ２を、それぞれ、光量制御部５００へ出力する。タイミング信号Ｔ１，Ｔ２は、光量制御部５００に後述する処理を行なわせるための信号である。
【００９８】
また、制御部６００は、目標データＴＧＡ，ＴＧＢ，ＴＧＣ，ＴＧＤを、光量制御部５００へ常に出力する。目標データＴＧＡ，ＴＧＢ，ＴＧＣ，ＴＧＤは、それぞれ、光センサー１２０Ａ，１２０Ｂ，１２０Ｃ，１２０Ｄの検出値の目標となる目標値を示すデータである。なお、目標データＴＧＡ，ＴＧＢ，ＴＧＣ，ＴＧＤの各々の目標値は、第１の実施の形態で説明したように、発光部Ｒ１００Ａ，Ｒ１００Ｂ，Ｒ１００Ｃ，Ｒ１００Ｄの各々に含まれる複数のＬＥＤから発せられる単位時間あたりの光量が同じになるように設定される。
【００９９】
また、制御部６００は、係数データＣＥを、光量制御部５００へ常に出力する。係数データＣＥは、光量制御部５００で使用される係数を示すデータである。係数は、１未満の値である。係数データＣＥが示す係数は、一例として、“０．０１”であるとする。
【０１００】
また、制御部６００は、４ビットのデータを示す選択信号ＳＬ＜３：０＞を、光量制御部５００へ出力する。ここで、ＳＬ＜３：０＞は、ＳＬ＜０＞〜ＳＬ＜３＞を総括的に表記したものである。
【０１０１】
以下においては、選択信号ＳＬ＜３：０＞が“１０００”を示す場合、選択信号ＳＬ＜３：０＞を、信号Ａともいう。また、選択信号ＳＬ＜３：０＞が“０１００”を示す場合、選択信号ＳＬ＜３：０＞を、信号Ｂともいう。また、選択信号ＳＬ＜３：０＞が“００１０”を示す場合、選択信号ＳＬ＜３：０＞を、信号Ｃともいう。また、選択信号ＳＬ＜３：０＞が“０００１”を示す場合、選択信号ＳＬ＜３：０＞を、信号Ｄともいう。
【０１０２】
図８は、光量制御部５００の内部構成を示すブロック図である。なお、図８には説明のために制御部６００も示している。図８を参照して、光量制御部５００は、電流電圧変換回路３１２Ａ，３１２Ｂ，３１２Ｃ，３１２Ｄと、Ａ／Ｄ変換部３１４Ａとを含む。
【０１０３】
電流電圧変換回路３１２Ａ，３１２Ｂ，３１２Ｃ，３１２Ｄは、それぞれ、光強度電流ＬＩＡ，ＬＩＢ，ＬＩＣ，ＬＩＤを電圧に変換し、信号を生成する処理を常に行なう。光強度電流ＬＩＡ，ＬＩＢ，ＬＩＣ，ＬＩＤは、電圧に変換されることにより、それぞれ、信号ＶＡ，ＶＢ，ＶＣ，ＶＤとなる。電流電圧変換回路３１２Ａ，３１２Ｂ，３１２Ｃ，３１２Ｄは、それぞれ、信号ＶＡ，ＶＢ，ＶＣ，ＶＤをＡ／Ｄ変換部３１４Ａへ常に出力する。
【０１０４】
Ａ／Ｄ変換部３１４Ａは、入力されるアナログ信号を量子化し、デジタル値に変換する機能を有する。Ａ／Ｄ変換部３１４Ａには、選択信号ＳＬ＜３：０＞およびタイミング信号Ｔ１が入力される。
【０１０５】
図９は、Ａ／Ｄ変換部３１４Ａの内部構成を示すブロック図である。図９を参照して、Ａ／Ｄ変換部３１４Ａは、選択回路ＳＬ１２と、Ａ／Ｄ変換器３１４と、データ保持回路３１６Ａ，３１６Ｂ，３１６Ｃ，３１６Ｄと、選択回路ＳＬ１４と、選択回路ＳＬ１６とを含む。
【０１０６】
選択回路ＳＬ１２には、選択信号ＳＬ＜３：０＞および信号ＶＡ，ＶＢ，ＶＣ，ＶＤが常に入力される。選択回路ＳＬ１２は、選択信号ＳＬ＜３：０＞に応じて、信号ＶＡ，ＶＢ，ＶＣ，ＶＤのうちの１つの信号をＡ／Ｄ変換器３１４へ出力する。
【０１０７】
具体的には、選択回路ＳＬ１２は、信号Ａとしての選択信号ＳＬ＜３：０＞が入力されている間、信号ＶＡをＡ／Ｄ変換器３１４へ出力し続ける。また、選択回路ＳＬ１２は、信号Ｂとしての選択信号ＳＬ＜３：０＞が入力されている間、信号ＶＢをＡ／Ｄ変換器３１４へ出力し続ける。また、選択回路ＳＬ１２は、信号Ｃとしての選択信号ＳＬ＜３：０＞が入力されている間、信号ＶＣをＡ／Ｄ変換器３１４へ出力し続ける。また、選択回路ＳＬ１２は、信号Ｄとしての選択信号ＳＬ＜３：０＞が入力されている間、信号ＶＤをＡ／Ｄ変換器３１４へ出力し続ける。
【０１０８】
Ａ／Ｄ変換器３１４は、入力される信号の電圧を、第２の制御手段としての制御部６００から出力されるタイミング信号Ｔ１の立ち下がりをトリガにして量子化し、デジタル値に変換する処理を行なう。そして、Ａ／Ｄ変換器３１４は、量子化した電圧のデータを、データ保持回路３１６Ａ，３１６Ｂ，３１６Ｃ，３１６Ｄへ出力する処理を常に行なう。
【０１０９】
データ保持回路３１６Ａ，３１６Ｂ，３１６Ｃ，３１６Ｄの各々は、データを一時的に保持する機能を有する。データ保持回路３１６Ａ，３１６Ｂ，３１６Ｃ，３１６Ｄの各々は、一例として、複数のＤフリップフロップ回路から構成される。
【０１１０】
選択回路ＳＬ１４には、選択信号ＳＬ＜３：０＞およびタイミング信号Ｔ１が入力される。選択回路ＳＬ１４は、選択信号ＳＬ＜３：０＞に応じて、タイミング信号Ｔ１を、データ保持回路３１６Ａ，３１６Ｂ，３１６Ｃ，３１６Ｄのいずれかへ出力する。
【０１１１】
具体的には、選択回路ＳＬ１４は、信号Ａとしての選択信号ＳＬ＜３：０＞が入力されている間、タイミング信号Ｔ１をデータ保持回路３１６Ａへ出力し続ける。また、選択回路ＳＬ１４は、信号Ｂとしての選択信号ＳＬ＜３：０＞が入力されている間、タイミング信号Ｔ１をデータ保持回路３１６Ｂへ出力し続ける。また、選択回路ＳＬ１４は、信号Ｃとしての選択信号ＳＬ＜３：０＞が入力されている間、タイミング信号Ｔ１をデータ保持回路３１６Ｃへ出力し続ける。また、選択回路ＳＬ１４は、信号Ｄとしての選択信号ＳＬ＜３：０＞が入力されている間、タイミング信号Ｔ１をデータ保持回路３１６Ｄへ出力し続ける。
【０１１２】
データ保持回路３１６Ａは、入力されたタイミング信号Ｔ１の立ち上がりに応じて、Ａ／Ｄ変換器３１４から出力された電圧データを選択回路ＳＬ１６へ出力し、かつ、当該電圧データを保持する。なお、データ保持回路３１６Ａは、保持している電圧データを、常に選択回路ＳＬ１６へ出力する。データ保持回路３１６Ｂ，３１６Ｃ，３１６Ｄの各々も、上記のデータ保持回路３１６Ａと同様な処理を行なうので詳細な説明は繰り返さない。
【０１１３】
選択回路ＳＬ１６には、選択信号ＳＬ＜３：０＞と、データ保持回路３１６Ａ，３１６Ｂ，３１６Ｃ，３１６Ｄの各々の電圧データが常に入力される。選択回路ＳＬ１６は、選択信号ＳＬ＜３：０＞に応じて、データ保持回路３１６Ａ，３１６Ｂ，３１６Ｃ，３１６Ｄのいずれかの電圧データを出力する。
【０１１４】
具体的には、選択回路ＳＬ１６は、信号Ａとしての選択信号ＳＬ＜３：０＞が入力されている間、データ保持回路３１６Ａから出力される電圧データを出力し続ける。また、選択回路ＳＬ１６は、信号Ｂとしての選択信号ＳＬ＜３：０＞が入力されている間、データ保持回路３１６Ｂから出力される電圧データを出力し続ける。また、選択回路ＳＬ１６は、信号Ｃとしての選択信号ＳＬ＜３：０＞が入力されている間、データ保持回路３１６Ｃから出力される電圧データを出力し続ける。また、選択回路ＳＬ１６は、信号Ｄとしての選択信号ＳＬ＜３：０＞が入力されている間、データ保持回路３１６Ｄから出力される電圧データを出力し続ける。
【０１１５】
再び、図８を参照して、光量制御部５００は、さらに、減算器３２０と、選択回路ＳＬ１１０とを含む。前述の選択回路ＳＬ１６から出力される電圧データは、減算器３２０へ出力される。
【０１１６】
選択回路ＳＬ１１０には、選択信号ＳＬ＜３：０＞および目標データＴＧＡ，ＴＧＢ，ＴＧＣ，ＴＧＤが常に入力される。選択回路ＳＬ１１０は、選択信号ＳＬ＜３：０＞に応じて、目標データＴＧＡ，ＴＧＢ，ＴＧＣ，ＴＧＤのいずれかを、減算器３２０へ出力する。
【０１１７】
具体的には、選択回路ＳＬ１１０は、信号Ａとしての選択信号ＳＬ＜３：０＞が入力されている間、目標データＴＧＡを減算器３２０へ出力し続ける。また、選択回路ＳＬ１１０は、信号Ｂとしての選択信号ＳＬ＜３：０＞が入力されている間、目標データＴＧＢを減算器３２０へ出力し続ける。また、選択回路ＳＬ１１０は、信号Ｃとしての選択信号ＳＬ＜３：０＞が入力されている間、目標データＴＧＣを減算器３２０へ出力し続ける。また、選択回路ＳＬ１１０は、信号Ｄとしての選択信号ＳＬ＜３：０＞が入力されている間、目標データＴＧＤを減算器３２０へ出力し続ける。
【０１１８】
減算器３２０は、Ａ／Ｄ変換部３１４Ａ内の選択回路ＳＬ１６から出力される電圧データが示す数値と、選択回路ＳＬ１１０から常に出力される目標データが示す目標値との差を演算する処理を行なう。上記処理により、選択回路ＳＬ１６から出力される電圧データが示す数値は、対応する光センサーから出力される光強度電流に対応する数値となる。すなわち、減算器３２０は、光センサーの検出値と、当該光センサーに対応する目標データが示す光センサーの検出値の目標となる目標値との差を演算する。そして、減算器３２０は、演算結果を、以下の過不足値演算部３２２へ出力する。
【０１１９】
光量制御部３００Ａは、さらに、過不足値演算部３２２と、乗算器３２４と、積分器３３０Ａとを含む。
【０１２０】
過不足値演算部３２２は、第１の実施の形態で説明したのと同様に、減算器３２０から出力される演算結果を使用して、光センサーの検出値と、当該光センサーに対応する目標データが示す光センサーの検出値の目標となる目標値とを一致させるための現時点における制御過不足値を演算する。当該演算の説明は、前述したのと同様なので詳細な説明は繰り返さない。そして、過不足値演算部３２２は、演算した制御過不足値を、乗算器３２４へ出力する。
【０１２１】
乗算器３２４には、制御部６００から常に出力される係数データＣＥが入力される。係数データＣＥは、前述したように、１未満の係数（たとえば、０．０１）を示すデータである。乗算器３２４は、過不足値演算部３２２から出力される制御過不足値と、係数データＣＥが示す１未満の係数とを乗算し、乗算結果を、積分器３３０Ａへ出力する。すなわち、乗算器３２４は、現時点の制御過不足値と符号が同じで、制御過不足値の絶対値より小さい制御値を、積分器３３０Ａへ出力する。
【０１２２】
積分器３３０Ａは、加算器３３２と、データ保持部３３４Ｕとを有する。データ保持部３３４Ｕには、制御部６００から常に出力される、選択信号ＳＬ＜３：０＞およびタイミング信号Ｔ２が入力される。
【０１２３】
加算器３３２は、乗算器３２４から出力される制御値と、現在、データ保持部３３４Ｕが保持している値とを加算した演算結果を、データ保持部３３４Ｕへ出力する。現在、データ保持部３３４Ｕが保持している値は、以下の処理により、データ保持部３３４Ｕから出力される。なお、はじめて、加算器３３２による演算が行なわれる場合、データ保持部３３４Ｕは、所定値（たとえば、“０”）を保持しているとする。
【０１２４】
図１０は、データ保持部３３４Ｕの内部構成を示すブロック図である。図１０を参照して、データ保持部３３４Ｕは、データ保持回路３３４Ａ，３３４Ｂ，３３３４Ｃ，３３４Ｄと、選択回路ＳＬ２２と、選択回路ＳＬ２４とを有する。
【０１２５】
データ保持回路３３４Ａ，３３４Ｂ，３３３４Ｃ，３３４Ｄの各々には、加算器３３２から出力された演算結果が入力される。データ保持回路３３４Ａ，３３４Ｂ，３３３４Ｃ，３３４Ｄの各々は、データを一時的に保持する機能を有する。データ保持回路３３４Ａ，３３４Ｂ，３３３４Ｃ，３３４Ｄの各々は、一例として、複数のＤフリップフロップ回路から構成される。
【０１２６】
選択回路ＳＬ２４には、選択信号ＳＬ＜３：０＞およびタイミング信号Ｔ２が常に入力される。選択回路ＳＬ２４は、選択信号ＳＬ＜３：０＞に応じて、タイミング信号Ｔ２を、データ保持回路３３４Ａ，３３４Ｂ，３３３４Ｃ，３３４Ｄのいずれかへ出力する。
【０１２７】
具体的には、選択回路ＳＬ２４は、信号Ａとしての選択信号ＳＬ＜３：０＞が入力されている間、タイミング信号Ｔ２をデータ保持回路３３４Ａへ出力し続ける。また、選択回路ＳＬ２４は、信号Ｂとしての選択信号ＳＬ＜３：０＞が入力されている間、タイミング信号Ｔ２をデータ保持回路３３４Ｂへ出力し続ける。また、選択回路ＳＬ２４は、信号Ｃとしての選択信号ＳＬ＜３：０＞が入力されている間、タイミング信号Ｔ２をデータ保持回路３３４Ｃへ出力し続ける。また、選択回路ＳＬ２４は、信号Ｄとしての選択信号ＳＬ＜３：０＞が入力されている間、タイミング信号Ｔ２をデータ保持回路３３４Ｄへ出力し続ける。
【０１２８】
データ保持回路３３４Ａは、入力されるタイミング信号Ｔ２の立ち上がりに応じて、加算器３３２から出力される演算結果を、選択回路ＳＬ２２および後述するＰＷＭ信号生成回路３４０Ａへ出力し、かつ、当該演算結果を保持する。なお、データ保持回路３３４Ａは、保持している演算結果を、常にＰＷＭ信号生成回路３４０Ａおよび選択回路ＳＬ２２へ出力する。
【０１２９】
また、データ保持回路３３４Ｂは、入力されたタイミング信号Ｔ２の立ち上がりに応じて、加算器３３２から出力された演算結果を、選択回路ＳＬ２２および後述するＰＷＭ信号生成回路３４０Ｂへ出力し、かつ、当該演算結果を保持する。なお、データ保持回路３３４Ｂは、保持している演算結果を、常にＰＷＭ信号生成回路３４０Ｂおよび選択回路ＳＬ２２へ出力する。
【０１３０】
また、データ保持回路３３４Ｃは、入力されたタイミング信号Ｔ２の立ち上がりに応じて、加算器３３２から出力された演算結果を、選択回路ＳＬ２２および後述するＰＷＭ信号生成回路３４０Ｃへ出力し、かつ、当該演算結果を保持する。なお、データ保持回路３３４Ｃは、保持している演算結果を、常にＰＷＭ信号生成回路３４０Ｃおよび選択回路ＳＬ２２へ出力する。
【０１３１】
また、データ保持回路３３４Ｄは、入力されたタイミング信号Ｔ２の立ち上がりに応じて、加算器３３２から出力された演算結果を、選択回路ＳＬ２２および後述するＰＷＭ信号生成回路３４０Ｄへ出力し、かつ、当該演算結果を保持する。なお、データ保持回路３３４Ｄは、保持している演算結果を、常にＰＷＭ信号生成回路３４０Ｄおよび選択回路ＳＬ２２へ出力する。
【０１３２】
選択回路ＳＬ２２には、選択信号ＳＬ＜３：０＞と、データ保持回路３３４Ａ，３３４Ｂ，３３３４Ｃ，３３４Ｄのいずれかの演算結果が入力される。選択回路ＳＬ２２は、選択信号ＳＬ＜３：０＞に応じて、データ保持回路３３４Ａ，３３４Ｂ，３３３４Ｃ，３３４Ｄのいずれかの演算結果を出力する。
【０１３３】
具体的には、選択回路ＳＬ２２は、信号Ａとしての選択信号ＳＬ＜３：０＞が入力されている間、データ保持回路３３４Ａから出力された演算結果を、加算器３３２へ出力し続ける。また、選択回路ＳＬ２２は、信号Ｂとしての選択信号ＳＬ＜３：０＞が入力されている間、データ保持回路３３４Ｂから出力された演算結果を、加算器３３２へ出力し続ける。また、選択回路ＳＬ２２は、信号Ｃとしての選択信号ＳＬ＜３：０＞が入力されている間、データ保持回路３３４Ｃから出力された演算結果を、加算器３３２へ出力し続ける。また、選択回路ＳＬ２２は、信号Ｄとしての選択信号ＳＬ＜３：０＞が入力されている間、データ保持回路３３４Ｄから出力された演算結果を、加算器３３２へ出力し続ける。
【０１３４】
光量制御部３００Ａは、さらに、ＰＷＭ信号生成回路３４０Ａ，３４０Ｂ，３４０Ｃ，３４０Ｄと、スイッチ３５０Ａ，３５０Ｂ，３５０Ｃ，３５０Ｄとを含む。
【０１３５】
ＰＷＭ信号生成回路３４０Ａは、図４のＰＷＭ信号生成回路３４０と同様に、データ保持回路３３４Ａから出力される演算結果を使用して、パルス信号のパルスの幅を変えるパルス幅変調を行なう。ＰＷＭ信号生成回路３４０Ａは、常に、所定周波数のパルス信号を、スイッチ３５０Ａへ出力する。それ以外のＰＷＭ信号生成回路３４０Ａが行なう処理は、ＰＷＭ信号生成回路３４０の処理と同様なので詳細な説明は繰り返さない。ＰＷＭ信号生成回路３４０Ｂ，３４０Ｃ，３４０Ｄの各々が行なう処理は、ＰＷＭ信号生成回路３４０Ａと同様なので詳細な説明は繰り返さない。ＰＷＭ信号生成回路３４０Ｂは、常に、所定周波数のパルス信号を、スイッチ３５０Ｂへ出力する。ＰＷＭ信号生成回路３４０Ｃは、常に、所定周波数のパルス信号を、スイッチ３５０Ｃへ出力する。ＰＷＭ信号生成回路３４０Ｄは、常に、所定周波数のパルス信号を、スイッチ３５０Ｄへ出力する。
【０１３６】
スイッチ３５０Ａは、ＬＥＤ１１８Ａと、接地電圧ＧＮＤとの間に接続される。スイッチ３５０Ｂは、ＬＥＤ１１８Ｂと、接地電圧ＧＮＤとの間に接続される。スイッチ３５０Ｃは、ＬＥＤ１１８Ｃと、接地電圧ＧＮＤとの間に接続される。スイッチ３５０Ｄは、ＬＥＤ１１８Ｄと、接地電圧ＧＮＤとの間に接続される。スイッチ３５０Ａ，３５０Ｂ，３５０Ｃ，３５０Ｄの各々は、図４のスイッチ３５０と同様なものなので詳細な説明は繰り返さない。
【０１３７】
スイッチ３５０Ａは、ＰＷＭ信号生成回路３４０Ａから常に出力されるパルス信号により、ベースに、Ｈレベルの電圧が印加されることによりオン状態となる。それ以外の動作は、第１の実施の形態のスイッチ３５０の動作の説明において、スイッチ３５０、ＰＷＭ信号生成回路３４０を、それぞれ、スイッチ３５０Ａ、ＰＷＭ信号生成回路３４０Ａに置き換えた動作の説明と同様なので詳細な説明は繰り返さない。したがって、スイッチ３５０Ａは、ＰＷＭ信号生成回路３４０Ａから常に出力されるパルス信号により、ＬＥＤ１１２Ａ，１１４Ａ，１１６Ａ，１１８Ａから発せられる、単位時間あたりの光量を制御することができる。
【０１３８】
スイッチ３５０Ｂは、ＰＷＭ信号生成回路３４０Ｂから常に出力されるパルス信号により、ベースに、Ｈレベルの電圧が印加されることによりオン状態となる。それ以外の動作は、前述のスイッチ３５０の動作の説明において、スイッチ３５０、ＰＷＭ信号生成回路３４０、ＬＥＤ１１２Ａ，１１４Ａ，１１６Ａ，１１８Ａを、それぞれ、スイッチ３５０Ｂ、ＰＷＭ信号生成回路３４０Ｂ、ＬＥＤ１１２Ｂ，１１４Ｂ，１１６Ｂ，１１８Ｂに置き換えた動作の説明と同様なので詳細な説明は繰り返さない。
【０１３９】
スイッチ３５０Ｃは、ＰＷＭ信号生成回路３４０Ｃから常に出力されるパルス信号により、ベースに、Ｈレベルの電圧が印加されることによりオン状態となる。それ以外の動作は、前述のスイッチ３５０の動作の説明において、スイッチ３５０、ＰＷＭ信号生成回路３４０、ＬＥＤ１１２Ａ，１１４Ａ，１１６Ａ，１１８Ａを、それぞれ、スイッチ３５０Ｃ、ＰＷＭ信号生成回路３４０Ｃ、ＬＥＤ１１２Ｃ，１１４Ｃ，１１６Ｃ，１１８Ｃに置き換えた動作の説明と同様なので詳細な説明は繰り返さない。
【０１４０】
スイッチ３５０Ｄは、ＰＷＭ信号生成回路３４０Ｄから常に出力されるパルス信号により、ベースに、Ｈレベルの電圧が印加されることによりオン状態となる。それ以外の動作は、前述のスイッチ３５０の動作の説明において、スイッチ３５０、ＰＷＭ信号生成回路３４０、ＬＥＤ１１２Ａ，１１４Ａ，１１６Ａ，１１８Ａを、それぞれ、スイッチ３５０Ｄ、ＰＷＭ信号生成回路３４０Ｄ、ＬＥＤ１１２Ｃ，１１４Ｃ，１１６Ｃ，１１８Ｃに置き換えた動作の説明と同様なので詳細な説明は繰り返さない。
【０１４１】
次に、面光源制御装置２０００の動作について説明する。
図１１は、光量制御部５００に入力される、一例としてのタイミング信号の動作波形図である。図１１を参照して、制御部６００は、図１１に示される、選択信号ＳＬ＜３：０＞、タイミング信号Ｔ１，Ｔ２を、光量制御部５００へ常に出力したとする。
【０１４２】
時刻ｔ１において、光量制御部５００内の電流電圧変換回路３１２Ａは、前述したように光強度電流ＬＩＡを電圧に変換し、信号ＶＡを生成し、信号ＶＡを、Ａ／Ｄ変換部３１４Ａへ出力する。
【０１４３】
また、時刻ｔ１において、制御部６００は、信号Ａとしての選択信号ＳＬ＜３：０＞を、光量制御部５００へ出力する。信号Ａとしての選択信号ＳＬ＜３：０＞は、光量制御部５００に含まれるＡ／Ｄ変換部３１４Ａ内の選択回路ＳＬ１２、選択回路ＳＬ１４および選択回路ＳＬ１６と、選択回路ＳＬ１１０と、データ保持部３３４Ｕ内の選択回路ＳＬ２２および選択回路ＳＬ２４とに入力される。また、光量制御部５００内の選択回路ＳＬ１２には、信号ＶＡが常に入力される。そして、選択回路ＳＬ１２は信号ＶＡをＡ／Ｄ変換器３１４へ出力する。
【０１４４】
Ａ／Ｄ変換器３１４は、入力された信号の電圧を、第２の制御手段としての制御部６００から出力されるタイミング信号Ｔ１の立ち下がりをトリガにして量子化し、デジタル値に変換する。そして、Ａ／Ｄ変換器３１４は、量子化した電圧のデータを、データ保持回路３１６Ａ，３１６Ｂ，３１６Ｃ，３１６Ｄへ出力する処理を常に行なう。
【０１４５】
データ保持回路３１６Ａには、信号Ａとしての選択信号ＳＬ＜３：０＞が入力される選択回路ＳＬ１４の前述の処理により、タイミング信号Ｔ１が入力される。データ保持回路３１６Ａは、入力されたタイミング信号Ｔ１の立ち上がりに応じて、Ａ／Ｄ変換器３１４から出力された、光センサー１２０Ａの検出値に対応する電圧データを選択回路ＳＬ１６へ出力し、かつ、当該電圧データを保持する。データ保持回路３１６Ａは、前述したように、保持している電圧データを、常に選択回路ＳＬ１６へ出力する。
【０１４６】
その後、制御部６００は、信号Ｂとしての選択信号ＳＬ＜３：０＞を、光量制御部５００へ出力する。これにより、信号Ａとしての選択信号ＳＬ＜３：０＞が入力された光量制御部５００において、前述した処理と同様な処理が行なわれることにより、データ保持回路３１６Ｂは、Ａ／Ｄ変換器３１４から出力された、光センサー１２０Ｂの検出値に対応する電圧データを保持する。データ保持回路３１６Ｂは、前述したように、保持している電圧データを、常に選択回路ＳＬ１６へ出力する。
【０１４７】
その後、制御部６００は、信号Ｃとしての選択信号ＳＬ＜３：０＞を、光量制御部５００へ出力する。これにより、信号Ａとしての選択信号ＳＬ＜３：０＞が入力された光量制御部５００において、前述した処理と同様な処理が行なわれることにより、データ保持回路３１６Ｃは、Ａ／Ｄ変換器３１４から出力された、光センサー１２０Ｃの検出値に対応する電圧データを保持する。データ保持回路３１６Ｃは、前述したように、保持している電圧データを、常に選択回路ＳＬ１６へ出力する。
【０１４８】
その後、制御部６００は、信号Ｄとしての選択信号ＳＬ＜３：０＞を、光量制御部５００へ出力する。これにより、信号Ａとしての選択信号ＳＬ＜３：０＞が入力された光量制御部５００において、前述した処理と同様な処理が行なわれることにより、データ保持回路３１６Ｄは、Ａ／Ｄ変換器３１４から出力された、光センサー１２０Ｄの検出値に対応する電圧データを保持する。データ保持回路３１６Ｄは、前述したように、保持している電圧データを、常に選択回路ＳＬ１６へ出力する。
【０１４９】
以上の処理により、時刻ｔ１〜時刻ｔ２の間の期間であるデータ取得期間ＤＴＡ１内において、光センサー１２０Ａ，１２０Ｂ，１２０Ｃ，１２０Ｄの各々の検出値が全て取得（サンプリング）される。なお、データ取得期間ＤＴＡ１は、前述のデータ取得期間ＤＴ１と同様な期間である。すなわち、データ取得期間ＤＴＡ１は、非常に短い時間である。
【０１５０】
なお、時刻ｔ３〜時刻ｔ４の間の期間であるデータ取得期間ＤＴＡ２は、データ取得期間ＤＴＡ１の次に、光センサー１２０Ａ，１２０Ｂ，１２０Ｃ，１２０Ｄの各々の検出値が取得される期間である。したがって、データ取得期間ＤＴ１が終了する時刻ｔ２から、データ取得期間ＤＴＡ２の開始時刻である時刻ｔ３までの間である光量制御期間ＬＣＴＡ１内に、制御部６００は、面光源１００が発する単位時間あたりの光量を制御する以下の処理を行なう。光量制御期間ＬＣＴＡ１は、前述の光量制御期間ＬＣＴ１と同様な期間である。すなわち、光量制御期間ＬＣＴＡ１は、非常に短い時間である。
【０１５１】
まず、光量制御期間ＬＣＴ１内において、信号Ａとしての選択信号ＳＬ＜３：０＞が、光量制御部５００に含まれるＡ／Ｄ変換部３１４Ａ内の選択回路ＳＬ１２、選択回路ＳＬ１４および選択回路ＳＬ１６と、選択回路ＳＬ１１０と、データ保持部３３４Ｕ内の選択回路ＳＬ２２および選択回路ＳＬ２４とに入力される。また、光量制御部５００内の選択回路ＳＬ１２には、信号ＶＡが常に入力される。
【０１５２】
信号Ａとしての選択信号ＳＬ＜３：０＞が入力される選択回路ＳＬ１６は、常に入力される電圧データを、減算器３２０へ出力する。
【０１５３】
また、信号Ａとしての選択信号ＳＬ＜３：０＞が入力される選択回路ＳＬ１１０は、常に入力されている目標データＴＧＡを減算器３２０へ出力する。減算器３２０は、Ａ／Ｄ変換部３１４Ａ内の選択回路ＳＬ１６から出力された電圧データが示す数値と、選択回路ＳＬ１１０から出力される目標データが示す目標値との差を演算する。そして、減算器３２０は、演算結果を、過不足値演算部３２２へ出力する。
【０１５４】
そして、過不足値演算部３２２、乗算器３２４および積分器３３０Ａ内の加算器３３２において前述した処理が順次行なわれる。
【０１５５】
そして、積分器３３０Ａ内のデータ保持回路３３４Ａは、入力されるタイミング信号Ｔ２の立ち上がりに応じて、加算器３３２から出力される演算結果を、選択回路ＳＬ２２およびＰＷＭ信号生成回路３４０Ａへ出力し、かつ、当該演算結果を保持する。なお、データ保持回路３３４Ａは、保持している演算結果を、常にＰＷＭ信号生成回路３４０Ａおよび選択回路ＳＬ２２へ出力する。
【０１５６】
そして、ＰＷＭ信号生成回路３４０Ａおよびスイッチ３５０Ａにおいて、前述の処理が行なわれることにより、ＬＥＤ１１２Ａ，１１４Ａ，１１６Ａ，１１８Ａから発せられる、単位時間あたりの光量を制御することができる。
【０１５７】
その後、制御部６００は、信号Ｂとしての選択信号ＳＬ＜３：０＞を、光量制御部５００へ出力する。これにより、光量制御期間ＬＣＴ１内において、信号Ａとしての選択信号ＳＬ＜３：０＞が入力された光量制御部５００において、前述した処理と同様な処理が行なわれることにより、ＬＥＤ１１２Ｂ，１１４Ｂ，１１６Ｂ，１１８Ｂから発せられる、単位時間あたりの光量を制御することができる。
【０１５８】
その後、制御部６００は、信号Ｃとしての選択信号ＳＬ＜３：０＞を、光量制御部５００へ出力する。これにより、光量制御期間ＬＣＴ１内において、信号Ａとしての選択信号ＳＬ＜３：０＞が入力された光量制御部５００において、前述した処理と同様な処理が行なわれることにより、ＬＥＤ１１２Ｃ，１１４Ｃ，１１６Ｃ，１１８Ｃから発せられる、単位時間あたりの光量を制御することができる。
【０１５９】
その後、制御部６００は、信号Ｄとしての選択信号ＳＬ＜３：０＞を、光量制御部５００へ出力する。これにより、光量制御期間ＬＣＴ１内において、信号Ａとしての選択信号ＳＬ＜３：０＞が入力された光量制御部５００において、前述した処理と同様な処理が行なわれることにより、ＬＥＤ１１２Ｄ，１１４Ｄ，１１６Ｄ，１１８Ｄから発せられる、単位時間あたりの光量を制御することができる。なお、前述したように、光量制御期間ＬＣＴＡ１は、非常に短い時間であるので、上記処理が行なわれることにより、ほぼ同時に、発光部Ｒ１００Ａ，Ｒ１００Ｂ，Ｒ１００Ｃ，Ｒ１００Ｄの各々に含まれる複数のＬＥＤの単位時間あたりの光量を制御することができる。
【０１６０】
そして、データ取得期間ＤＴＡ１および光量制御期間ＬＣＴＡ１における、前述した処理が繰返し行なわれる。したがって、データ取得期間ＤＴＡ１および光量制御期間ＬＣＴＡ１における、前述した処理が繰返し行なわれることにより、発光部Ｒ１００Ａ，Ｒ１００Ｂ，Ｒ１００Ｃ，Ｒ１００Ｄの各々に含まれる光センサーの検出値は、当該検出値の目標となる目標値とほぼ同じ値になる。
【０１６１】
また、前述したように、目標データＴＧＡ，ＴＧＢ，ＴＧＣ，ＴＧＤの各々の目標値は、発光部Ｒ１００Ａ，Ｒ１００Ｂ，Ｒ１００Ｃ，Ｒ１００Ｄの各々に含まれる複数のＬＥＤから発せられる単位時間あたりの光量が同じになるように設定される。そのため、発光部Ｒ１００Ａ，Ｒ１００Ｂ，Ｒ１００Ｃ，Ｒ１００Ｄの各々に含まれる複数のＬＥＤから発せられる単位時間あたりの光量はほぼ同じとなる。
【０１６２】
以上説明したように、本実施の形態においては、複数の選択回路を使用し、必要な信号またはデータを適宜切替えることにより、１つの回路を共通して使用することができる。したがって、第１の実施の形態の奏する効果に加えて、Ａ／Ｄ変換器３１４、減算器３２０、過不足値演算部３２２、乗算器３２４、加算器３３２などの比較的ハードウェア量の多いものを制御単位の数だけ具備する必要がなく、コスト、消費電力、回路発熱量等を削減できるという効果を奏する。
【０１６３】
＜第２の実施の形態の変形例＞
本実施の形態では、第２の実施の形態における、光量制御部と異なる構成の光量制御部を備える面光源制御装置について説明する。
【０１６４】
図１２は、本実施の形態における面光源制御装置２０００Ａのブロック図を示す。図１２を参照して、面光源制御装置２０００Ａは、図７の面光源制御装置２０００と比較して、光量制御部５００の代わりに光量制御部５００Ａを備える点のみが異なる。それ以外の構成は、面光源制御装置２０００と同様なので詳細な説明は繰り返さない。
【０１６５】
図１３は、本実施の形態における光量制御部５００Ａの内部構成を示すブロック図である。図１３を参照して、光量制御部５００Ａは、図８の光量制御部５００と比較して、過不足値演算部３２２を含まない点のみが異なる。それ以外の構成は、光量制御部５００と同様なので詳細な説明は繰り返さない。
【０１６６】
次に、光量制御部５００Ａの動作を説明する。まず、電流電圧変換回路３１２Ａ，３１２Ｂ，３１２Ｃ，３１２Ｄ、Ａ／Ｄ変換部３１４Ａが行なう処理は、第２の実施の形態で説明した処理と同様なので詳細な説明は繰り返さない。
【０１６７】
減算器３２０は、第２の実施の形態と同様に、Ａ／Ｄ変換部３１４Ａ内の選択回路ＳＬ１６から出力される電圧データが示す数値と、選択回路ＳＬ１１０から常に出力される目標データが示す目標値との差を演算する処理を行なう。そして、減算器３２０は、演算結果を、乗算器３２４へ出力する。
【０１６８】
乗算器３２４は、減算器３２０から出力される演算結果を使用して、光センサーの検出値と、当該目標データが示す光センサーの検出値の目標となる目標値とを一致させるための制御値を演算する。当該演算は、たとえば、光センサーの光電変換ゲインまたは光センサーに対応するＬＥＤの駆動電流に対する発光効率等に基づき予め定められた所定の係数（１未満の値（たとえば、０．００１））を、減算器３２０から出力される演算結果に掛ける演算である。この演算により、減算器３２０の演算結果と符号が同じで、減算器３２０の演算結果の絶対値より小さい制御値を算出することができる。そして、乗算器３２４は、算出した制御値を、積分器３３０Ａへ出力する。
【０１６９】
その後に行なわれる、積分器３３０Ａ、ＰＷＭ信号生成回路３４０Ａ，３４０Ｂ，３４０Ｃ，３４０Ｄおよびスイッチ３５０Ａ，３５０Ｂ，３５０Ｃ，３５０Ｄが行なう処理は、第２の実施の形態で説明した処理と同様なので詳細な説明は繰り返さない。
【０１７０】
以上の構成の面光源制御装置２０００Ａにおいて、第２の実施の形態において、図１１に基づいて説明した前述の処理が行なわれることにより、本実施の形態における面光源制御装置２０００Ａにおいても、第２の実施の形態の奏する効果と同様な効果を得ることができる。
【０１７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１７２】
本発明は、ＬＥＤを二次元アレイ状に配置し、さらに複数の光センサーを配置した面光源装置において、光センサーの検出値にクロストークが存在する場合であっても輝度等が均一になるようＬＥＤを制御することができる。そのため、液晶ディスプレイのバックライト装置や、その他照明などに好適に利用することが可能である。
【図面の簡単な説明】
【０１７３】
【図１】本実施の形態における面光源制御装置１０００のブロック図を示す。
【図２】面光源１００のＸ−Ｘ’間の断面図である。
【図３】光量制御部に入力される、一例としてのタイミング信号の動作波形図である。
【図４】光量制御部の内部構成を示すブロック図である。
【図５】本実施の形態における面光源制御装置のブロック図を示す。
【図６】本実施の形態における光量制御部の内部構成を示すブロック図である。
【図７】本実施の形態における面光源制御装置のブロック図を示す。
【図８】光量制御部の内部構成を示すブロック図である。
【図９】Ａ／Ｄ変換部の内部構成を示すブロック図である。
【図１０】データ保持部の内部構成を示すブロック図である。
【図１１】光量制御部に入力される、一例としてのタイミング信号の動作波形図である。
【図１２】本実施の形態における面光源制御装置のブロック図を示す。
【図１３】本実施の形態における光量制御部の内部構成を示すブロック図である。
【図１４】従来の面光源制御装置の断面図である。
【符号の説明】
【０１７４】
ＳＬ１２，ＳＬ１４，ＳＬ１６，ＳＬ２２，ＳＬ２４，ＳＬ１１０  選択回路、１２０Ａ，１２０Ｂ，１２０Ｃ，１２０Ｄ  光センサー、Ｒ１００Ａ，Ｒ１００Ｂ，Ｒ１００Ｃ，Ｒ１００Ｄ  発光部、１００  面光源、２００  電源、３００Ａ，３００Ｂ，３００Ｃ，３００Ｄ，５００，５００Ａ  光量制御部、３１２，３１２Ａ，３１２Ｂ，３１２Ｃ，３１２Ｄ  電流電圧変換回路、３１４  Ａ／Ｄ変換器、３１４Ａ  Ａ／Ｄ変換部、３１６，３１６Ａ，３１６Ｂ，３１６Ｃ，３１６Ｄ，３３４，３３４Ａ，３３４Ｂ，３３３４Ｃ，３３４Ｄ  データ保持回路、３２０  減算器、３２２  過不足値演算部、３３０，３３０Ａ  積分器、３３２  加算器、３３４Ｕ  データ保持部、３４０，３４０Ａ，３４０Ｂ，３４０Ｃ，３４０Ｄ  ＰＷＭ信号生成回路、３５０，３５０Ａ，３５０Ｂ，３５０Ｃ，３５０Ｄ  スイッチ、４００，６００  制御部、１０００，１０００Ａ，２０００，２０００Ａ  面光源制御装置。
【図１】
2007227166.tif 000003
【図２】
2007227166.tif 000004
【図３】
2007227166.tif 000005
【図４】
2007227166.tif 000006
【図５】
2007227166.tif 000007
【図６】
2007227166.tif 000008
【図７】
2007227166.tif 000009
【図８】
2007227166.tif 000010
【図９】
2007227166.tif 000011
【図１０】
2007227166.tif 000012
【図１１】
2007227166.tif 000013
【図１２】
2007227166.tif 000014
【図１３】
2007227166.tif 000015
【図１４】
2007227166.tif 000016